(57)【要約】【課題】受信状態の変化に応じてより適切なチャンネル切替を実現する。【解決手段】放送受信装置１０は、放送信号を受信する複数の受信部２１〜２４と、複数の受信部２１〜２４の少なくとも一つにユーザが指定した指定放送局のチャンネルを選局させ、複数の受信部２１〜２４の別の少なくとも一つに指定放送局に対応する中継局または系列局のチャンネルをサーチさせる制御部２０と、を備える。制御部２０は、指定放送局の受信感度が基準値未満であり、かつ、サーチした中継局または系列局の受信感度が基準値以上である場合、その中継局または系列局のチャンネルを選局させ、指定放送局の受信感度が基準値未満であり、かつ、サーチした中継局または系列局の受信感度が基準値未満である場合、指定放送局を継続して選局させる。【選択図】図１
2018182363.tif 000002
【特許請求の範囲】
【請求項１】
放送信号を受信する複数の受信部と、
前記複数の受信部の少なくとも一つにユーザが指定した指定放送局のチャンネルを選局させ、前記複数の受信部の別の少なくとも一つに前記指定放送局に対応する中継局または系列局のチャンネルをサーチさせる制御部と、
選局中のチャンネルで受信した放送内容を再生する再生処理部と、を備え、
前記制御部は、
前記指定放送局の受信感度が基準値未満であり、かつ、サーチした中継局または系列局の受信感度が基準値以上である場合、その中継局または系列局のチャンネルを選局させ、その中継局または系列局のチャンネルで受信した放送内容を再生させ、
前記指定放送局の受信感度が基準値未満であり、かつ、サーチした中継局または系列局の受信感度が基準値未満である場合、前記指定放送局を継続して選局させることを特徴とする放送受信装置。
【請求項２】
前記再生処理部は、前記指定放送局の受信感度が前記基準値以上に回復した場合、継続選局中の前記指定放送局のチャンネルで受信した放送内容の再生を再開することを特徴とする請求項１に記載の放送受信装置。
【請求項３】
前記制御部は、前記指定放送局の受信感度が基準値未満であり、かつ、サーチした中継局または系列局の受信感度が基準値未満である場合、中継局または系列局のチャンネルのサーチを一時的に中止させることを特徴とする請求項１または２に記載の放送受信装置。
【請求項４】
前記制御部は、中継局または系列局のチャンネルのサーチを一時的に中止している間に前記指定放送局の受信感度が前記基準値以上に回復した場合、中継局または系列局のチャンネルのサーチを再開させることを特徴とする請求項３に記載の放送受信装置。
【請求項５】
前記制御部は、中継局または系列局のチャンネルのサーチ対象から前記指定放送局のチャンネルを除外させることを特徴とする請求項１から４のいずれか一項に記載の放送受信装置。
【請求項６】
複数の受信部の少なくとも一つにユーザが指定した指定放送局のチャンネルを選局させ、前記複数の受信部の別の少なくとも一つに前記指定放送局に対応する中継局または系列局のチャンネルをサーチさせ、
前記指定放送局の受信感度が基準値未満であり、かつ、サーチした中継局または系列局の受信感度が基準値以上である場合、その中継局または系列局のチャンネルを選局させ、その中継局または系列局のチャンネルで受信した放送内容を再生させ、
前記指定放送局の受信感度が基準値未満であり、かつ、サーチした中継局または系列局の受信感度が基準値未満である場合、前記指定放送局を継続して選局させることを特徴とする放送受信方法。
【請求項７】
複数の受信部の少なくとも一つにユーザが指定した指定放送局のチャンネルを選局させ、前記複数の受信部の別の少なくとも一つに前記指定放送局に対応する中継局または系列局のチャンネルをサーチさせる機能と、
前記指定放送局の受信感度が基準値未満であり、かつ、サーチした中継局または系列局の受信感度が基準値以上である場合、その中継局または系列局のチャンネルを選局させ、その中継局または系列局のチャンネルで受信した放送内容を再生させる機能と、
前記指定放送局の受信感度が基準値未満であり、かつ、サーチした中継局または系列局の受信感度が基準値未満である場合、前記指定放送局を継続して選局させる機能と、をコンピュータに実現させることを特徴とするプログラム。
【発明の詳細な説明】
【技術分野】
【０００１】
本発明は、放送受信装置および放送受信方法に関する。
【背景技術】
【０００２】
車載用のテレビでは、搭載される車両の移動とともにテレビ放送信号の受信状態や受信可能な放送局が変化しうる。例えば、異なる放送エリア内に入る場合には、移動先の放送エリアに応じた放送局を選択することが好ましい。放送エリアが変わる場合にスムーズな切替が可能となるように、第１チューナで現在視聴中のチャンネルを受信し、第２チューナで中継局や系列局がサーチされる。現在視聴中のチャンネルの受信状態が悪化した場合、サーチしておいた中継局や系列局のチャンネルに自動切替される（例えば、特許文献１参照）。
【先行技術文献】
【特許文献】
【０００３】
【特許文献１】特開２０１３−５１５０６号公報
【発明の概要】
【発明が解決しようとする課題】
【０００４】
搭載される車両がトンネルや地下施設に入って放送信号の受信状態が悪化する場合、サーチしておいた中継局や系列局の受信状態も同様に悪化してしまう。このような場合にチャンネルを自動切替してしまうと、トンネルや地下施設から出て受信状態が回復した場合に元のチャンネルに再切替する処理が必要となることがある。このとき、受信状態が回復してから視聴中チャンネルの表示を再開するまでに時間がかかってしまう。
【０００５】
本発明は、上述の事情に鑑みてなされたものであり、受信状態の変化に応じてより適切なチャンネル切替を実現する技術を提供することを目的とする。
【課題を解決するための手段】
【０００６】
本発明のある態様の放送受信装置は、放送信号を受信する複数の受信部と、複数の受信部の少なくとも一つにユーザが指定した指定放送局のチャンネルを選局させ、複数の受信部の別の少なくとも一つに指定放送局に対応する中継局または系列局のチャンネルをサーチさせる制御部と、選局中のチャンネルで受信した放送内容を再生する再生処理部と、を備える。制御部は、指定放送局の受信感度が基準値未満であり、かつ、サーチした中継局または系列局の受信感度が基準値以上である場合、その中継局または系列局のチャンネルを選局させ、その中継局または系列局のチャンネルで受信した放送内容を再生させ、指定放送局の受信感度が基準値未満であり、かつ、サーチした中継局または系列局の受信感度が基準値未満である場合、指定放送局を継続して選局させる。
【０００７】
本発明の別の態様は、放送受信方法である。この方法は、複数の受信部の少なくとも一つにユーザが指定した指定放送局のチャンネルを選局させ、複数の受信部の別の少なくとも一つに指定放送局に対応する中継局または系列局のチャンネルをサーチさせ、指定放送局の受信感度が基準値未満であり、かつ、サーチした中継局または系列局の受信感度が基準値以上である場合、その中継局または系列局のチャンネルを選局させ、その中継局または系列局のチャンネルで受信した放送内容を再生させ、指定放送局の受信感度が基準値未満であり、かつ、サーチした中継局または系列局の受信感度が基準値未満である場合、指定放送局を継続して選局させる。
【０００８】
なお、以上の構成要素の任意の組合せや本発明の構成要素や表現を、方法、装置、システムなどの間で相互に置換したものもまた、本発明の態様として有効である。
【発明の効果】
【０００９】
本発明によれば、受信状態の変化に応じてより適切にチャンネルを切り替えできる。
【図面の簡単な説明】
【００１０】
【図１】放送受信装置の機能構成を模式的に示すブロック図である。
【図２】放送受信方法の流れを模式的に示すフローチャートである。
【発明を実施するための形態】
【００１１】
以下、本発明の実施の形態について、図面を参照しつつ説明する。かかる実施の形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
図１は、放送受信装置１０の機能構成を模式的に示すブロック図である。図示する各機能ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックとして描いている。したがって、これらの機能ブロックはハードウェア、ソフトウェアの組み合わせによっていろいろなかたちで実現できることは、当業者には理解されるところである。
【００１３】
放送受信装置１０は、デジタルテレビ放送を受信するための装置であり、車両などの移動体に搭載して用いられる車載用のデジタルテレビ受信装置である。放送受信装置１０が受信した放送内容は、表示装置３０およびスピーカ３２を通じて再生される。ユーザは、入力装置３４を通じて視聴しようとするチャンネルを選択する。選択したチャンネルの受信感度が良好であれば、指定したチャンネルの放送内容が表示ないし出力される。
【００１４】
放送受信装置１０は、受信回路部１２と、再生処理部１４と、制御部２０とを備える。放送受信装置１０は、表示装置３０、スピーカ３２および入力装置３４と接続されている。表示装置３０は、液晶ディスプレイ等であり、車両のセンターコンソールやダッシュボードの位置に取り付けられる。スピーカ３２は、車載スピーカや表示装置３０に隣接して設けられるスピーカなどである。入力装置３４は、例えば、タッチパネル式のセンサであり、表示装置３０の表示領域に設けられる。入力装置３４はタッチ式ではなく、表示装置３０の周辺に配置されるボタン等で構成されてもよい。
【００１５】
受信回路部１２は、第１受信部２１、第２受信部２２、第３受信部２３、第４受信部２４、第１復調部２５および第２復調部２６を有する。複数の受信部２１〜２４のそれぞれには異なるアンテナが接続されており、各アンテナを通じて選局されたチャンネルの放送信号を受信する。複数の受信部２１〜２４のそれぞれは、例えば、地上デジタル放送信号を受信するよう構成される。
【００１６】
第１復調部２５は、第１受信部２１および第２受信部２２と接続されており、第１受信部２１および第２受信部２２が受信した放送信号を復調する。第２復調部２６は、第３受信部２３および第４受信部２４と接続されており、第３受信部２３および第４受信部２４が受信した放送信号を復調する。複数の復調部２５，２６のそれぞれは、例えば、受信した地上デジタル放送信号からトランスポートストリーム（ＴＳ）信号を生成するよう構成される。
【００１７】
第１復調部２５は、第１受信部２１の受信信号と第２受信部２２の受信信号を合成して復調するよう構成され、いわゆる２ダイバーシティ受信方式で復調信号を生成するよう構成される。同様に、第２復調部２６は、第３受信部２３の受信信号と第３受信部２３の受信信号を合成して復調可能となるよう構成される。ダイバーシティ受信方式を用いることで、搭載される車両の移動中の受信性能を向上させることができる。
【００１８】
なお、受信回路部１２は、３以上のダイバーシティ受信が実現できるよう構成されてもよいし、ダイバーシティ受信を用いないように構成されてもよい。ダイバーシティ受信を用いない場合、一つの受信部に対して一つの復調部が設けられるよう構成されてもよい。また、受信信号の感度に応じて、ダイバーシティ受信方式を切り替えるよう構成されてもよく、例えば、受信信号の感度が低い場合に、四つの受信部２１〜２４の受信信号を合成して復調するよう構成されてもよい。
【００１９】
再生処理部１４は、第１復調部２５および第２復調部２６が生成したＴＳ信号から放送内容を再生する。再生処理部１４は、映像処理部１６と、音声処理部１８とを有する。映像処理部１６は、取得するＴＳ信号から映像データを抽出し、抽出した映像データに基づく映像を表示装置３０に表示させる。音声処理部１８は、取得するＴＳ信号から音声データを抽出し、抽出した音声データに基づく音声をスピーカ３２に出力させる。
【００２０】
再生処理部１４は、ＴＳ信号に含まれる番組情報やデータ放送用情報などを抽出し、抽出した情報を表示装置３０に表示するための表示画面を生成する。再生処理部１４は、入力装置３４を通じたユーザの入力操作を可能にするための操作画面を生成する。例えば、ユーザによるチャンネルの選局操作、表示装置３０の輝度調整、スピーカ３２の音量調整を実現するための操作画面を生成する。また、再生処理部１４は、選局中のチャンネルが受信できない場合に受信不可などのエラーを通知するための表示画面を生成する。
【００２１】
制御部２０は、受信回路部１２および再生処理部１４の動作を制御する。制御部２０は、ユーザが指定する放送局（指定放送局ともいう）のチャンネルを受信回路部１２に選局させ、指定放送局のチャンネルで受信した放送内容が再生されるようにする。制御部２０は、搭載される車両の移動により放送エリアが切り替わる場合であっても、スムーズな切替が可能となるように、指定放送局に対応する系列局や中継局をあらかじめサーチして特定する。放送エリアの切替時には、受信感度のより高い放送局に自動切替することで、視聴中のチャンネルがシームレスに表示されるようにする。
【００２２】
ここで、中継局とは親放送局の電波を受信して増幅したものを放送する放送局のことをいい、例えば、親放送局と同じチャンネルに対して同じ放送内容の電波を出力する。一方、系列局とは主要放送局（キー局）のいずれかと同じネットワーク系列に属する各地方ごとの放送局のことをいう。系列局は、主要放送局と同じチャンネルまたは異なるチャンネルを使用し、放送時間帯に応じて主要放送局と共通する放送内容や系列局ごとに独自の放送内容の電波を出力する。
【００２３】
制御部２０は、複数の受信部２１〜２４の少なくとも一つに指定放送局のチャンネルを選局させ、複数の受信部２１〜２４の別の少なくとも一つに指定放送局に対応する中継局または系列局のチャンネルをサーチさせる。制御部２０は、例えば、第１受信部２１および第２受信部２２に指定放送局のチャンネルを選局させ、第３受信部２３および第４受信部２４に中継局または系列局のチャンネルをサーチさせる。第３受信部２３および第４受信部２４は、受信可能なチャンネルを巡回選局し、第２復調部２６は、巡回選局された各チャンネルのＴＳ信号を復調する。
【００２４】
制御部２０は、復調されたＴＳ信号から指定放送局に対応する中継局または系列局のチャンネルを特定する。制御部２０は、例えば、ＴＳ信号に含まれる放送局識別情報に基づいて中継局または系列局のチャンネルを特定する。制御部２０は、各放送局の系列関係が定められたテーブル情報をあらかじめ保持し、保持するテーブル情報を参照して対応する中継局または系列局のチャンネルを特定してもよい。
【００２５】
制御部２０は、第３受信部２３および第４受信部２４によるサーチの候補から指定放送局が除外されるようにしてもよい。第３受信部２３および第４受信部２４による巡回選局の候補から指定放送局を除外することにより、１回の巡回選局に要する時間を短縮化できる。
【００２６】
制御部２０は、受信回路部１２から受信可能なチャンネルの受信感度に関する情報を取得する。制御部２０は、例えば、第１受信部２１および第２受信部２２が受信する指定放送局の受信感度と、第３受信部２３および第４受信部２４が受信する中継局または系列局の受信感度を取得する。制御部２０は、取得した受信感度が所定の基準値以上であれば、受信可能な状態であると判定し、取得した受信感度が所定の基準値未満であれば、受信不能な状態であると判定する。
【００２７】
制御部２０は、視聴中のチャンネルの受信感度と、サーチしたチャンネルの受信感度とに応じて、選局するチャンネルを決める。制御部２０は、視聴中のチャンネルの受信感度が基準値以上であり受信可能な状態であれば、視聴中のチャンネル、つまり、ユーザが指定する指定放送局を継続して選局する。制御部２０は、視聴中のチャンネルの受信感度が基準値未満であり受信不能な状態であれば、サーチして特定しておいた中継局または系列局の受信感度を確認する。より具体的には、第３受信部２３および第４受信部２４に特定しておいた中継局または系列局を選局させ、選局中の中継局または系列局のチャンネルの受信感度に関する情報を取得する。中継局または系列局の受信感度が基準値以上であり受信可能な状態であれば、その中継局または系列局を選局し、選局した中継局または系列局のチャンネルで受信した放送内容が再生されるようにする。これにより、受信感度が良好な中継局または系列局からの放送信号を用いて放送内容を安定的に再生することができる。
【００２８】
一方で、中継局または系列局の受信感度も基準値未満であり受信不能な状態であれば、その中継局または系列局を選局せず、受信不能な指定放送局を継続して選局するようにする。視聴中のチャンネルとサーチしたチャンネルの双方が受信不能な状態である場合、搭載する車両がトンネルや地下施設などの放送電波が届かない場所に入っていると考えられる。この場合にチャンネルを自動切替したとしても切替後のチャンネルも視聴不能であるため、チャンネル切替のメリットがない。また、トンネルや地下施設から抜け出して視聴可能な状態に回復した場合、視聴不能になる直前と同様、指定放送局の受信感度が良好である可能性が高いと考えられる。この場合に、指定放送局から中継局または系列局に自動切替してしまうと、受信可能になった後に指定放送局を再選局しなければならず、視聴チャンネルが再生される状態に復帰するまでの時間が長くなってしまう。そこで、本実施の形態では、視聴中のチャンネルとサーチしたチャンネルの双方が受信不能な場合、チャンネルの自動切替をせずに元のチャンネルを継続して選局しておく。これにより、受信可能になったタイミングから選局中のチャンネルを再生できる。これにより、受信状態が回復してから視聴可能な状態に復帰するまでの時間を短縮化し、ユーザの利便性を向上させることができる。
【００２９】
制御部２０は、視聴中のチャンネルとサーチしたチャンネルの双方が受信不能な状態である場合、中継局または系列局のサーチを一時的に中止してもよい。放送電波が届かない場所でチャンネルの巡回選局をするメリットが少ないためである。中継局または系列局のサーチを一時的に中止することにより、巡回選局の処理がなされない分だけ、視聴中のチャンネルの受信感度が回復したタイミングで選局中のチャンネルをより早期に再開することができる。制御部２０は、中継局または系列局のサーチを一時中止しているときに視聴中チャンネルの受信状態が回復した場合、中継局または系列局のサーチを再開させるようにしてもよい。
【００３０】
なお、中継局または系列局のサーチを一時中止してから一定時間が経過しても視聴中チャンネルの受信状態が回復しない場合、中継局または系列局のサーチを再開するようにしてもよい。例えば、サーチを一時中止してから数分〜１０分程度経過してもサーチが再開されていない場合、サーチ中止機能をリセットするようにしてもよい。これにより、放送エリアを跨ぐようなトンネルを越えたために視聴中チャンネルが受信できなくなるような場合であっても、サーチを再開して受信可能な中継局または系列局に自動切替することができる。
【００３１】
図２は、放送受信方法の流れを模式的に示すフローチャートである。放送受信装置１０は、中継局または系列局のサーチを実行するサーチ状態であれば（Ｓ１０のＹ）、指定放送局に対応する中継局または系列局をバックグラウンドでサーチする（Ｓ１２）。サーチを一時的に中止するサーチ中止状態であれば（Ｓ１０のＮ）、Ｓ１２の処理をスキップする。指定放送局が受信可能であれば（Ｓ１４のＹ）、受信する指定放送局の放送内容を再生する（Ｓ１６）。この場合にサーチ中止状態であれば（Ｓ１８のＹ）、中継局または系列局のサーチを再開させ（Ｓ２０）、サーチ状態であれば（Ｓ１８のＮ）、Ｓ２０の処理をスキップして、Ｓ１０からの処理を繰り返す。
【００３２】
一方、指定放送局が受信不能であり（Ｓ１４のＮ）、サーチした中継局または系列局が受信可能であれば（Ｓ２２のＹ）、受信可能な中継局または系列局のチャンネルを選局し（Ｓ２４）、受信する中継局または系列局の放送内容を再生する（Ｓ２６）。また、選局した中継局または系列局のチャンネルを指定放送局として更新し（Ｓ２８）、Ｓ１０からの処理を繰り返す。この場合、選局した中継局または系列局が受信可能であれば、その中継局または系列局を新たな指定放送局としてＳ１６の処理が実行される。
【００３３】
指定放送局が受信不能であり（Ｓ１４のＮ）、サーチした中継局または系列局も受信不能であれば（Ｓ２２のＮ）、受信不能である旨をユーザに通知し（Ｓ３０）、サーチ状態であれば（Ｓ３２のＹ）、中継局または系列局のサーチを中止する（Ｓ３４）。その後、Ｓ１０からの処理を繰り返す。この場合、サーチ中止状態であるため、Ｓ１２の処理がスキップされ、指定放送局が受信不能である限り（Ｓ１４のＮ）、受信不能である旨がユーザに通知される（Ｓ３０）。また、サーチ中止状態であるから（Ｓ３２のＮ）、Ｓ３４の処理はスキップされる。一方、指定放送局が受信可能になれば（Ｓ１４のＹ）、受信する指定放送局の放送内容の再生が再開され（Ｓ１６）、サーチ中止状態であるから（Ｓ１８のＹ）、中継局または系列局のサーチが再開される（Ｓ２０）。
【００３４】
なお、Ｓ１０の処理において、サーチ中止状態であり（Ｓ１０のＮ）、かつ、サーチ中止から一定時間が経過した場合には、中継局または系列局のサーチを再開するようにし、Ｓ１２の処理をスキップせずに実行するようにしてもよい。
【００３５】
以上、本発明を上述の実施の形態を参照して説明したが、本発明は上述の実施の形態に限定されるものではなく、各表示例に示す構成を適宜組み合わせたものや置換したものについても本発明に含まれるものである。
【００３６】
上述の実施の形態では、地上デジタル放送を受信するための放送受信装置１０について説明した。変形例においては、地上デジタル放送以外の放送を受信するための放送受信装置に上述の内容を適用してもよい。例えば、ラジオ放送を受信するための放送受信装置において、上述の中継局または系列局への自動切替やサーチの中止および再開の受信方法を適用してもよい。
【符号の説明】
【００３７】
１０…放送受信装置、１２…受信回路部、１４…再生処理部、１６…映像処理部、１８…音声処理部、２０…制御部、２１…第１受信部、２２…第２受信部、２３…第３受信部、２４…第４受信部、２５…第１復調部、２６…第２復調部、３０…表示装置、３２…スピーカ、３４…入力装置。
【図１】
2018182363.tif 000003
【図２】
2018182363.tif 000004